(57)【要約】【課題】使用者に不快感を与えずにエアフィルターについた塵埃を効率よく除去すること。【解決手段】フィルター清掃装置２の吸引力を変更する吸引力変更手段１４と吸引力を決定する吸引力決定手段６を設けることにより、フィルター清掃装置２の吸引力を調整することが可能となり、塵埃を効率よく除去でき、使用者に不快感を与えないという効果が得られる。【選択図】図３
2005195289.tif 000002
【特許請求の範囲】
【請求項１】
空気調和機本体に、エアフィルターを設け、前記エアフィルターに付着した塵埃を吸引し清掃するフィルター清掃装置と、前記フィルター清掃装置を自動的に運転開始させる清掃開始判定機能と、前記フィルター清掃装置を自動的に運転終了させる清掃終了判定機能を具備した空気調和機において、前記フィルター清掃装置の吸引力を変更する吸引力変更手段と前記吸引力を決定する吸引力決定手段を設けたことを特徴とする空気調和機。
【請求項２】
空調運転時間を計時する空調運転計時手段を設け、空調運転時間の長さに応じて前記吸引力を決定することを特徴とする請求項1記載の空気調和機。
【請求項３】
前記フィルター清掃装置が吸引した塵埃の量を検出するセンサーを設け、塵埃の量に応じて前記吸引力を決定することを特徴とする請求項１、２いずれか１項に記載の空気調和機。
【請求項４】
前記吸引力を時刻に応じて設定を可能とする吸引力時刻設定手段と時刻計時手段を設けたことを特徴  とする請求項１から３のいずれか１項に記載の空気調和機。
【請求項５】
曜日検出手段と、各曜日ごとに時刻により前記吸引力の設定をする吸引力時刻設定ウィークリープログラミング手段を具備したことを特徴とする請求項４記載の空気調和機。
【請求項６】
前記吸引力を設定する吸引力スイッチを設けたことを特徴とする請求項１から５のいずれか１項に記載の空気調和機。
【請求項７】
前記清掃開始判定機能が前記吸引力スイッチの操作信号で清掃開始決定を行うことをを特徴とする請求項６記載の空気調和機。
【請求項８】
前記清掃終了判定機能が前記吸引力スイッチの操作信号で清掃終了決定を行うことを特徴とする請求項６または７記載の空気調和機。
【請求項９】
前記吸引力を視認できる吸引力表示機能を設けたことを特徴とする請求項１から８いずれか１項に記載の空気調和機。
【発明の詳細な説明】
【技術分野】
【０００１】
本発明は、フィルターの清掃を自動的に行うようにした空気調和機の制御装置に関するものである。
【背景技術】
【０００２】
従来、この種の空気調和機の制御装置は、塵埃の蓄積レベルを測定し、一定以上レベルを検出した場合にフィルター清掃装置を作動したり、空調運転開始時や空調運転時間を積算し、ある値に達した場合ににフィルター清掃装置を作動していた。また図６に示すようにファンモータのオン、オフを検出し、オフしたときにフィルター清掃装置を作動していた（例えば、特許文献１、２参照）。
【特許文献１】特開昭６３−１３０１１６号公報（第６頁、第４図）
【特許文献２】特開昭６０−１７１３３５号公報（第４頁、第７図）
【発明の開示】
【発明が解決しようとする課題】
【０００３】
しかしながら、上記従来の構成では、塵埃に水分や油分が含まれた場合、停止中や、蓄積されていく間に塵埃が凝固することがあり、フィルター装置に塵埃がこびりつき、強力な吸引力が必要となるが、これに合わせた吸引力にすると、綿埃のみ等容易に除去できる場合には無駄にエネルギーを消費することになる。また、動作騒音が大きくなり、使用者に不快感を与えるという課題を有していた。
【０００４】
本発明はこのような従来の課題を解決するものであり、フィルター装置についた塵埃を小能力で効率よく確実に除去でき、さらに使用者に不快感を与えない空気調和機を提供することを目的とする。
【課題を解決するための手段】
【０００５】
前記従来の課題を解決するために、本発明の空気調和機の制御装置は、フィルター清掃装置の吸引力を変更する吸引力変更手段と吸引力を決定する吸引力決定手段を設けたものである。
【０００６】
これによって、フィルター清掃装置の吸引力を調整することが可能となり、フィルター装置についた塵埃を効率よく除去でき、さらに使用者に不快感を与えない空気調和機を提供することとなる。
【発明の効果】
【０００７】
本発明の空気調和機の制御装置は、使用者に不快感を与えずにエアフィルターについた塵埃を効率よく除去することができる。
【発明を実施するための最良の形態】
【０００８】
第１の発明は、空気調和機本体に、エアフィルターを設け、前記エアフィルターに付着した塵埃を吸引し清掃するフィルター清掃装置と前記フィルター清掃装置を自動的に運転開始させる清掃開始判定機能と前記フィルター清掃装置を自動的に運転終了させる清掃終了判定機能を具備した空気調和機において、前記フィルター清掃装置の吸引力を変更する吸引力変更手段と前記吸引力を決定する吸引力決定手段を設けることにより、フィルター清掃装置の吸引力を調整することが可能となり、塵埃を効率よく除去でき、使用者に不快感を与えないという効果が得られる。
【０００９】
第２の発明は、特に、第１の発明の空気調和機の制御装置において、空調運転時間を計時する空調運転計時手段を設け、空調運転時間の長さに応じて前記吸引力を決定することにより、塵埃の付着量に応じた吸引力で清掃するこが可能となり、塵埃を効率よく確実に除去できる。
【００１０】
第３の発明は、特に、第１または第２の発明の空気調和機の制御装置において、前記フィルター清掃装置が吸引した塵埃の量を検出するセンサーを設け、塵埃の量に応じて前記吸引力を決定することにより、必要な吸引力に精度良く制御が可能となりより効率的に塵埃を除去できる。
【００１１】
第４の発明は、特に、第１〜３のいずれか１つの発明空気調和機の制御装置において、前記吸引力を時刻に応じて設定を可能とする吸引力時刻設定手段と時刻計時手段を設けることにより、使用者が時間帯ごとに吸引力を選択することで、夜間など必要に応じて騒音を低減することが可能となり、使用者に不快感を与えないという効果が得られる。
【００１２】
第５の発明は、特に、第4の発明の空気調和機の制御装置において、曜日検出手段と、各曜日ごとに時刻により前記吸引力の設定する吸引力時刻設定ウィークリ−プログラミング手段を具備することにより、曜日毎の必要に応じて時刻により吸引力の設定が可能となり、利便性を向上することができる。
【００１３】
第６の発明は、特に、第１〜５のいずれか１つの発明の空気調和機の制御装置において、前記吸引力を設定する吸引力スイッチを設けることにより、フィルター清掃中に前記吸引力を任意に変更することが可能となり、利便性を向上することができる。
【００１４】
第７の発明は、特に、第６の発明の空気調和機の制御装置において、前記清掃開始判定機能が前記吸引力スイッチの操作信号で清掃開始決定を行うことにより、空気調和機の運転状態にかかわらずフィルター清掃が可能となり、使用者の必要に応じて塵埃を自動的に除去することができる。
【００１５】
第８の発明は、特に、第６、７のいずれか１つの発明の空気調和機の制御装置において、前記清掃終了判定機能が前記吸引力スイッチの操作信号で清掃終了決定を行うことにより、使用者の必要に応じてフィルター清掃を終了することが可能となり、利便性を向上することができる。
【００１６】
第９の発明は、特に、第１〜８のいずれか１つの発明の空気調和機の制御装置において、前記吸引力を視認できる吸引力表示機能を設けたことにより、吸引力を選択する際の目安となり、利便性を向上することができる。
【００１７】
以下、本発明の実施の形態について、図面を参照しながら説明する。なお、この実施の形態によって本発明が限定されるものではない。
【００１８】
（実施の形態）
図１は、本発明の実施の形態における空気調和機のエアフィルターとフィルター清掃装置の概観図を示すものである。
【００１９】
図１において、エアフィルター１はエアフィルター１を通過する空気から塵埃を除去し、フィルター清掃装置２は、吸引ノズル２ａがエアフィルター１の塵埃が付着した面を移動しながら、吸引ファン２ｂによりエアフィルター１に蓄積した塵埃を吸い込み、排出ダクト２ｃから排出する。ゴミセンサー３は、フィルター清掃装置２が吸引した塵埃の量を検出し、吸引力決定手段６にゴミ量信号を出力する。
【００２０】
フィルター清掃装置２が吸引したゴミの量を検出するゴミセンサー３を設け、ゴミの量に応じて吸引力を決定することにより、必要な吸引力に精度良く制御が可能となりより効率的に塵埃を除去できる。
【００２１】
図２は本実施の形態の空気調和機の制御装置のブロック図で、吸引力時刻設定手段４はフィルター清掃装置２の吸引力を時刻により設定し、吸引力時刻設定ウィークリ−プログラミング手段５は時刻による吸引力の設定を各曜日ごとに記憶し、吸引力決定手段６に出力する。
【００２２】
時刻計時手段７は時刻を計時し、吸引力決定手段６に時刻信号を出力する。
【００２３】
曜日検出手段８は曜日を検出し、吸引力決定手段６に曜日信号を出力する。
【００２４】
ここで、吸引力を時刻により設定を可能とする吸引力時刻設定手段４と時刻計時手段７を設けることにより、使用者が時間帯ごとに吸引力を選択することで、夜間など必要に応じて騒音を低減することが可能となり、使用者に不快感を与えないという効果が得られる。
【００２５】
また、曜日検出手段８と、吸引力時刻設定ウィークリ−プログラミング手段５を具備し、各曜日ごとに時刻により吸引力の設定を可能とすることにより、曜日毎の必要に応じて時刻により吸引力の設定が可能となり、利便性を向上することができる。
【００２６】
空調運転計時手段９は、前回のフェイルター清掃以降の空調運転時間を計時し、吸引力決定手段６に時間信号を出力する。
【００２７】
空調運転時間を計時する空調運転計時手段９を設け、空調運転時間の長さに応じて前記吸引力を決定することにより、塵埃の付着量に応じた吸引力で清掃するこが可能となり、塵埃を効率よく除去できる。
【００２８】
吸引力スイッチ１０は、タクトスイッチとし、オンされると吸引力決定手段６と清掃開始判定手段１１と清掃終了判定手段１２にオン信号を出力する。
【００２９】
吸引力を設定する吸引力スイッチ１０を設けることにより、フィルター清掃中に吸引力を任意に変更することが可能となり、利便性を向上することができる。
【００３０】
本実施の形態では吸引力スイッチ１０はタクトスイッチとしたが、スイッチの形態は特に限定しない。
【００３１】
清掃開始判定機能１１は、フィルター清掃装置２が停止中に、自動的に清掃開始となる判定条件が成立した場合と吸引力スイッチ１０からオン信号を検出した場合に、吸引力決定手段６とフィルター清掃装置２に清掃開始信号を出力する。
【００３２】
清掃開始判定機能１１が吸引力スイッチ１０の操作信号で清掃開始決定を行うことにより、空気調和機の運転状態にかかわらずフィルター清掃が可能となり、使用者の必要に応じて塵埃を自動的に除去することができる。
【００３３】
清掃終了判定機能１２は、フィルター清掃中に、自動的に清掃終了となる判定条件が成立した場合と吸引力スイッチ１０から一定の時間ｔ以上連続でオン信号を検出した場合に、フィルター清掃装置２に清掃終了信号を出力する。
【００３４】
清掃終了判定機能１２が吸引力スイッチ１０の操作信号で清掃終了決定を行うことにより、使用者の必要に応じてフィルター清掃を終了することが可能となり、利便性を向上することができる。
【００３５】
ここで、自動的に清掃開始となる判定条件と自動的に清掃終了となる判定条件は特に問わない。
【００３６】
吸引力決定手段６は、清掃開始判定機能１１からの清掃開始信号を受けると動作を開始し、吸引力スイッチ１０による設定が自動以外の吸引力のレベルが１からＮ（１＜Ｎ、レベル値が大きいほど吸引力が強い）の場合は、吸引力スイッチ１０の出力値の吸引力のレベルに決定し、吸引力変更手段１３と吸引力表示機能１４に吸引力信号を出力する。
【００３７】
吸引力スイッチ１０による設定が自動の場合は、清掃開始時に吸引力時刻設定ウィークリ−プログラミング手段５と曜日検出手段８の出力値と時刻計時手段７が検出した時刻と、空調運転計時手段９が検出した空調運転時間Ｔから、空調運転時間Ｔが長ければ強く、短ければ弱くなるようフィルター清掃装置２の吸引力を決定し、吸引力変更手段１３と吸引力表示機能１４に吸引力信号を出力する。以後、ゴミセンサー３が検出した塵埃の量、ゴミ量Ｍが多ければ強く、少なければ弱くなるよう、フィルター清掃装置２の吸引力を決定し、吸引力変更手段１３と吸引力表示機能１４に吸引力信号を出力する。空調運転時間Ｔに対しては図３の空調運転時間−吸引力レベル対応表、ゴミ量Ｍに対しては図４のゴミ量−吸引力レベル対応表にしたがって吸引力レベルを決定する。
【００３８】
但し、曜日検出手段８の出力値と時刻計時手段７が検出した時刻で吸引力時刻設定ウィークリ−プログラミング手段５の吸引力設定を最大の吸引力レベルとする。
【００３９】
吸引力変更手段１３は、吸引力決定手段６からの吸引力信号の出力値に応じてフィルター清掃装置２の吸引力を変更する。
【００４０】
フィルター清掃装置２の吸引力を変更する吸引力変更手段１３と吸引力を決定する吸引力決定手段６を設けることにより、フィルター清掃装置２の吸引力を調整することが可能となり、塵埃を小能力で効率よく除去でき、使用者に不快感を与えないという効果が得られる。
【００４１】
吸引力表示機能１４は、フィルター清掃を開始すると吸引力の表示を開始し、吸引力決定手段６からの吸引力信号の出力値に応じて表示を変更し、フィルター清掃が終了すると吸引力の表示を終了する。
【００４２】
吸引力を視認できる吸引力表示機能１４を設けたことにより、吸引力を選択する際の目安となり、利便性を向上することができる。
【００４３】
フィルター清掃装置２は、清掃開始判定機能１１からの清掃開始信号を受けるとフィルター清掃を開始し、清掃終了判定機能１２からの清掃終了信号を受けるとフィルター清掃を終了する。
【００４４】
図３は本実施の形態の空気調和機の制御装置のフローチャートであり、以下にその動作を説明する。
【００４５】
ステップ１では清掃開始判定機能１１がフィルター清掃を開始するか否かの判定を行い、フィルター清掃装置２が停止中に、自動的に清掃開始となる判定条件が成立した場合と
吸引力スイッチ１０からオン信号を検出した場合に開始と判定し、ステップ２に移行し、そうでない場合には待機状態を継続する。
【００４６】
ステップ２では空調運転計時手段９が前回のフェイルター清掃以降の空調運転時間を計時し、ステップ３では時刻計時手段７が時刻を検出し、ステップ４では曜日検出手段８が曜日を検出する。
【００４７】
ステップ５では、吸引力時刻設定手段４と吸引力時刻設定ウィークリ−プログラミング手段５で設定された吸引力設定を読み込む。
【００４８】
ステップ６では吸引力決定手段６で、空調運転計時手段９が計時した前回のフェイルター清掃以降の空調運転時間と、吸引力時刻設定ウィークリ−プログラミング手段５と曜日検出手段８の出力値と計時手段６が検出した時刻から、吸引力のレベルＡを決定し吸引力変更手段１３と吸引力表示機能１４に出力する。
【００４９】
ここで、吸引力スイッチ１０による設定を初期値として自動と置き、吸引力時刻設定ウィークリ−プログラミング手段５と曜日検出手段８の出力値と計時手段６が検出した時刻から決まる吸引力がレベルＢ（１≦Ｂ≦Ｎ）であれば、レベル１からレベルＢの範囲で空調運転計時手段９が計時した前回のフェイルター清掃以降の空調運転時間が長ければ、吸引力が強く、短ければ吸引力が弱くなるようにレベルＡ（１≦Ａ≦Ｂ）を決定する。
【００５０】
ステップ７では、吸引力変更手段１３が吸引力決定手段６の出力値に応じてフィルター清掃装置２の吸引力を変更し、ステップ８で、吸引力表示機能１４が吸引力決定手段６の出力値に応じて吸引力の表示を開始しし、ステップ９でフィルター清掃装置２がフィルター清掃を開始する。
【００５１】
ステップ１０では、ゴミセンサー３でフィルター清掃装置２が吸引した塵埃の量を検出し、ステップ１１で、吸引力スイッチ１０による設定を検出する。
【００５２】
ここで、吸引力スイッチ１０による設定は初期値の自動から吸引力スイッチ１０が１回オンされるごとに自動→１→２→３→．．．．．．．→（Ｎ−１）→Ｎ→自動の順に変更される。
【００５３】
ステップ１２では、吸引力決定手段６がゴミセンサー３の出力値と吸引力スイッチの設定値から吸引力のレベルＣを決定し、吸引力変更手段１３と吸引力表示機能１４に出力する。
【００５４】
ここで、吸引力スイッチ１０による設定が自動の場合は、吸引力時刻設定ウィークリ−プログラミング手段５と曜日検出手段８の出力値と時刻計時手段７が検出した時刻と、ゴミセンサー３の出力値から、ステップ６と同様のレベル１からレベルＢの範囲でゴミセンサー３が検出した塵埃の量が多ければ吸引力が強く、少なければ吸引力が弱くなるよう吸引力のレベルＣを決定する。
【００５５】
吸引力スイッチ１０の出力値が自動以外の吸引力のレベルが１からＮ（１＜Ｎ、レベル値が大きいほど吸引力が強い）場合は、吸引力スイッチ１０により設定されたの吸引力のレベルに決定する。
【００５６】
ステップ１３では、吸引力変更手段１３が吸引力決定手段６の出力値に応じてフィルター清掃装置２の吸引力を変更し、ステップ１４で、吸引力表示機能１４が吸引力決定手段６の出力値に応じて吸引力の表示を変更する。
【００５７】
ステップ１５では  清掃終了判定手段１２が、フィルター清掃を終了するか否かの判定を行い、フィルター清掃中に、自動的に清掃終了となる判定条件が成立した場合と吸引力スイッチ１０からオン信号を一定の時間ｔ以上連続で検出した場合に終了と判定し、ステップ１６に移行し、そうでない場合にはステップ１０に移行する。
【００５８】
ステップ１６でフィルター清掃を終了する。
【産業上の利用可能性】
【００５９】
以上のように、本発明にかかる空気調和機の制御装置は、エアフィルターについた塵埃を効率よく除去することが可能となるので、換気、空気清浄等の用途にも適用できる。
【図面の簡単な説明】
【００６０】
【図１】本発明の実施の形態における空気調和機の概観図
【図２】本発明の実施の形態における空気調和機の制御装置のブロック図
【図３】空調運転時間−吸引力レベルマトリックス図
【図４】ゴミ量−吸引力レベルマトリックス図
【図５】本発明の実施の形態における空気調和機の制御装置のフローチャート
【図６】従来の制御内容を示すフローチャート
【符号の説明】
【００６１】
１  エアフィルター
２  フィルター清掃装置
３  ゴミセンサー
４  吸引力時刻設定手段
５  吸引力時刻設定ウィークリ−プログラミング手段
６  吸引力決定手段
７  時刻計時手段
８  曜日検出手段
９  空調運転計時手段
１０  吸引力スイッチ
１１  清掃開始判定機能
１２  清掃終了判定機能
１３  吸引力変更手段
１４  吸引力表示機能
【図１】
2005195289.tif 000003
【図２】
2005195289.tif 000004
【図３】
2005195289.tif 000005
【図４】
2005195289.tif 000006
【図５】
2005195289.tif 000007
【図６】
2005195289.tif 000008